(57)【要約】【課題】男性が着用する場合には、おしゃれであり、かつ、ネクタイの代用品としても使用でき、また、女性が着用する場合にはブローチ等と同等の服飾品として使用することのできるネック服飾品を提供する。【解決手段】ワイシャツＳの第一ボタンＢと当該第一ボタンＢのボタン穴Ｈに取付けて使用する服飾品であって、第一ボタンＢに組付き、当該第一ボタンＢの少なくとも表面側を覆い、装飾性に富む装飾ボタン１０と、ボタン穴Ｈの表側と裏側に組付く二つのボタン部２１を連結材２２で連結し、装飾性に富み、かつ、少なくとも、いずれか一方がボタン穴Ｈを挿通する径である装飾部材２０と、装飾ボタン１０と装飾部材２０とを連結し、かつ、装飾性に富むチェーン３０とで構成する。【選択図】      図１
2005253761.tif 000002
【特許請求の範囲】
【請求項１】
ワイシャツ等上着の第一ボタンと該第一ボタンのボタン穴に取付けて使用する服飾品であって、
前記第一ボタンに組付き、該第一ボタンの少なくとも表面側を覆い、装飾性に富む装飾ボタンと、
前記ボタン穴の表側と裏側に組付く二つのボタン部を連結材で連結し、装飾性に富み、かつ、少なくとも、いずれか一方のボタン部が、前記ボタン穴を挿通する径である装飾部材と、
前記装飾ボタンと装飾部材とを連結し、かつ、装飾性に富む紐体と、からなることを特徴とするネック服飾品。
【請求項２】
前記装飾ボタンに代えて、孔付クリップピンまたは前記紐体の端部に該紐体によって形成した孔部を使用し、前記孔付クリップピンまたは孔部に前記第一ボタンを挿通して組付けてなることを特徴とする請求項１に記載のネック服飾品。
【請求項３】
前記装飾ボタンに代えて挟持クリップを使用し、該挟持クリップを、前記第一ボタンの近傍に留めて組付けてなることを特徴とする請求項１に記載のネック服飾品。
【請求項４】
前記装飾部材に代えて、前記ボタン穴を通過しない大径部と、ボタン穴を通過し、その中心部で回動して大径部をボタン穴に組付ける小径棒を備えるカフスボタン構造を使用してなることを特徴とする請求項１、２または３に記載のネック服飾品。
【請求項５】
前記大径部は、前記装飾ボタンと同じ形状で同じ大きさであることを特徴とする請求項４に記載のネック服飾品。
【発明の詳細な説明】
【技術分野】
【０００１】
本発明は、男性であればネクタイの代わりとして、また、女性であれば胸元の装飾品として使用することのできるネック服飾品に関するものである。
【背景技術】
【０００２】
一般に、男性が正装する場合には、シャツの第一ボタンを嵌めてネクタイを着用し、また、女性が正装する場合には、胸元などにブローチ等の装飾品を飾り付けることが多い。
【０００３】
従来、ループタイと同様にネクタイを着用する代わりとして、かつ、胸元を装飾するための手段としての服飾品が創案されている（例えば、特許文献１参照）。
また、装飾品としても利用の余地があるボタンも創案されている（例えば、特許文献２参照）。
【特許文献１】特開平１０−１４６２７号公報
【特許文献２】実開平５−６３３０９号公報
【発明の開示】
【発明が解決しようとする課題】
【０００４】
しかしながら、特許文献１に記載の服飾品は、シャツの襟元からぶら下げるものであるため、男性が着用する場合、ネクタイの代用品として使用するには必ずしも適さない。
【０００５】
また、特許文献２に記載のボタンも、その取付け部分に装飾性を与えることができるものの、あくまでも第一ボタンとして使用するものであり、ネクタイの代用品として使用することはできない。また、女性が使用する場合は、装飾効果に欠ける。
【０００６】
そこで、本発明の目的とするところは、男性が着用する場合には、おしゃれであり、かつ、ネクタイの代用品としても使用でき、また、女性が着用する場合にはブローチ等と同等の服飾品として使用することのできるネック服飾品を提供することにある。
【課題を解決するための手段】
【０００７】
上記の目的を達成するために、本発明の請求項１に記載のネック服飾品（１）は、ワイシャツ（Ｓ）等上着の第一ボタン（Ｂ）と当該第一ボタン（Ｂ）のボタン穴（Ｈ）に取付けて使用する服飾品であって、前記第一ボタン（Ｂ）に組付き、当該第一ボタン（Ｂ）の少なくとも表面側を覆い、装飾性に富む装飾ボタン（１０）と、前記ボタン穴（Ｈ）の表側と裏側に組付く二つのボタン部（２１）を連結材（２２）で連結し、装飾性に富み、かつ、少なくとも、いずれか一方のボタン部（２１）が、前記ボタン穴（Ｈ）を挿通する径である装飾部材（２０）と、前記装飾ボタン（１０）と装飾部材（２０）とを連結し、かつ、装飾性に富む紐体（３０）と、からなることを特徴とする。
なお、紐体（３０）には、通常のリングを連結したチェーンのようなものの他に、ベルト状のものを含む。
【０００８】
また、請求項２に記載の発明は、前記装飾ボタン（１０）に代えて、孔付クリップピン（１４）または前記紐体（３０）の端部に当該紐体（３０）によって形成した孔部（３１）を使用し、前記孔付クリップピン（１４）または孔部（３１）に前記第一ボタン（Ｂ）を挿通して組付けてなることを特徴とする。
【０００９】
さらに、請求項３に記載の発明は、前記装飾ボタン（１０）に代えて挟持クリップ（１５）を使用し、当該挟持クリップ（１５）を、前記第一ボタン（Ｂ）の近傍に留めて組付けてなることを特徴とする。
【００１０】
またさらに、請求項４に記載の発明は、前記装飾部材（２０）に代えて、大径部（２４，２７）と、ボタン穴（Ｈ）を通過し、その中心部で回動して大径部（２４，２７）をボタン穴（Ｈ）に組付ける小径棒（２５）を備えるカフスボタン構造を使用してなることを特徴とする。
なお、請求項５に記載の発明のように、前記大径部（２７）を、前記装飾ボタン（１０）と同じ形状で同じ大きさにすることもできる。
【発明の効果】
【００１１】
本発明の請求項１に記載のネック服飾品によれば、ワイシャツ等上着の第一ボタンの少なくとも表面側を覆い、装飾性に富む装飾ボタンと、ボタン穴に組付き、少なくとも表側のボタン部が装飾性に富む装飾部材と、装飾ボタンと装飾部材とを連結し、装飾性に富むチェーン等の紐体とからなるので、男性の場合には、ネクタイの代わりとして、また、おしゃれな服飾品として着用することができる。その場合、ネクタイを締めた場合と比較して軽装感があり、かつ、整然とした印象を周囲に与えることができる。
また、女性の場合には、ブローチ等の一般服飾品として着用することができ、周囲におしゃれ感と同時に整然とした印象を与えることができる。
【００１２】
すなわち、第一ボタンの表面側を装飾ボタンで覆い、ボタン穴に装飾部材を組付け、かつ、両者を装飾性に富む紐体で連結するので、例えばワイシャツのネック部分を、ネクタイを締めた場合とほぼ同様に締まった状態とすることができると同時に、豪華に飾ることができる。
【００１３】
また、請求項２に記載の発明によれば、装飾ボタンに代えて孔付クリップピンまたは紐体で形成した孔部を使用しているので、当該クリップ孔または孔部が持つ特有の軽やかな装飾効果を現出することができる。
【００１４】
さらに、請求項３に記載の発明によれば、装飾ボタンに代えて挟持クリップを使用し、その挟持クリップを、第一ボタンの近傍に留めて組付けているので、挟持クリップ独特の面白みのある装飾性を発揮させることができる。また、挟持クリップによる組付けは簡単であるため、着用が容易である。
【００１５】
またさらに、請求項４に記載の発明によれば、装飾部材に代えて、カフスボタン構造を使用しているので、当該カフスボタン構造が持つ特有の豪華で重厚な装飾効果を現出することができる。また請求項５に記載の発明のように、大径部を、装飾ボタンと同じ形状で同じ大きさにすることにより、見栄えをよくすることができる。
【発明を実施するための最良の形態】
【００１６】
図１乃至図４を参照して、本発明の第一実施形態に係るネック服飾品１について説明する。図１はネック服飾品１を上着としての一例であるワイシャツＳに装着した状態を示す正面図であり、図２はそのＡ−Ａ線拡大断面図である。また、図３は当該ネック服飾品１の斜視図であり、図４はそれを構成する装飾ボタン１０裏面図である。
【００１７】
このネック服飾品１は、男性が着用する場合にはネクタイの代用品として、また、女性が着用する場合には服飾品として、ワイシャツＳの第一ボタンＢと当該第一ボタンＢのボタン穴Ｈに取付けて使用する服飾品であり、装飾ボタン１０、装飾部材２０およびチェーン（紐体）３０とで構成される。
【００１８】
装飾ボタン１０は、ワイシャツＳの第一ボタンＢにその側面から嵌め込んで組付けるものであり、第一ボタンＢの表面側の全面と裏面側の一部を覆う。この装飾ボタン１０は、金色や銀色等の光沢を持ち、装飾性に富む。なお、装飾ボタン１０の形状は限定されず、本実施形態では、表面部１１と切欠部１３を有する裏面部１２を備え、当該切欠部１３に第一ボタンＢをその側面から嵌め込んで組付けるようにしている。また、これに代えて、裏面部１２の外周端部の全部または一部を残して大きく開口し、当該裏面部１２を第一ボタンＢの正面から被せて組付けるようにしても良い。
【００１９】
装飾部材２０は、ボタン穴Ｈの表側と裏側に組付く二つのボタン部２１を、鎖状の連結材２２で連結し、当該両ボタン部２１を共に金色や銀色等の光沢に満ちて装飾性に富み、かつ、ボタン穴Ｈを挿通する径に設定している。なお、二つのボタン部２１のうち、一方のみをボタン穴Ｈを挿通できる径に設定し、他方のボタン部２１をそれより大径に設定することもできる。
チェーン３０は金属製で、装飾ボタン１０と装飾部材２０とを連結し、かつ、光沢があり装飾性に富むもので形成している。
【００２０】
このネック服飾品１は、装飾ボタン１０、装飾部材２０およびチェーン３０のいずれも光沢があって装飾性に富むので、これを着用することによって胸元を豪華に装飾することができる。また、男性が着用した場合には、胸元を引き締めるのでネクタイの代用品とすることができ、女性が着用した場合には、ブローチ等の一般の服飾品として用いることができる。
【００２１】
図５を参照して、本発明の第二実施形態に係るネック服飾品１について説明する。図５は当該ネック服飾品１の要部を示す斜視図である。
このネック服飾品１は、第一実施形態における装飾ボタン１０に代えて、同じく光沢があり装飾性に富む孔付クリップピン１４を使用したものである。この孔付クリップピン１４の孔部分を第一ボタンＢに嵌め込むことによって、当該第一ボタンＢに組付けることができる。孔付クリップピン１４を使用したことによって、それが有する特有の軽快な装飾効果を現出することができる。
【００２２】
図６を参照して、本発明の第三実施形態に係るネック服飾品１について説明する。図６は、当該ネック服飾品１の要部を示す斜視図である。
これは、孔付クリップピン１４の場合と同様に、装飾ボタン１０に代えて、チェーン３０の端部を巻いて形成したチェーン孔部３１を使用したものである。この場合、チェーン孔部３１の持つ特有の装飾性を現出することができる。
【００２３】
図７を参照して、本発明の第四実施形態に係るネック服飾品１について説明する。図７は当該ネック服飾品１の要部を示す斜視図である。
これは、装飾ボタン１０に代えて、光沢があり装飾性に富む挟持クリップ１５を使用し、その挟持クリップ１５を、第一ボタンＢ近傍の襟Ｎを挟み付けて組付けたものである。この実施形態では、挟持クリップ１５の持つ面白みのある装飾効果を現出することができる。また、この挟持クリップ１５は、襟もとに装着することが容易であるので、ネック服飾品１の着用が容易となる。
【００２４】
図８を参照して、本発明の第五実施形態に係るネック服飾品１について説明する。図８は当該ネック服飾品１の要部を示す斜視図である。
このネック服飾品１は、装飾部材２０に代えて、大径部２４と小径棒２５を接続棒２６で接続し、小径棒２５をその中心部で回動自在とし、回動して大径部２４をボタン穴Ｈに組付けるカフスボタン構造を有し、かつ、装飾性のあるカフス部材２３を使用したものである。このネック服飾品１は、カフス部材２３の持つ豪華で重厚な装飾性によって、特有の装飾効果を現出する。
なお、図９で示すように、大径部２７を、装飾ボタン１０と同じ円形状で同じ大きさにして見栄え良くすることもできる。さらに、小径棒２５を円形状の小径部２８に固定することもできる。小径部２８はボタン穴Ｈに挿入できる程度の大きさである。
【図面の簡単な説明】
【００２５】
【図１】本発明の第一実施形態に係るネック服飾品を、ワイシャツに装着した状態を示す正面図である。
【図２】図１のＡ−Ａ線拡大断面図である。
【図３】図１に示すネック服飾品の斜視図である。
【図４】図３に示すボタン部の裏面図である。
【図５】本発明の第二実施形態に係るネック服飾品を示す要部斜視図である。
【図６】本発明の第三実施形態に係るネック服飾品を示す要部斜視図である。
【図７】本発明の第四実施形態に係るネック服飾品を示す要部斜視図である。
【図８】本発明の第五実施形態に係るネック服飾品を示す要部斜視図である。
【図９】本発明の第五実施形態に係る別のネック服飾品を示す要部斜視図である。
【符号の説明】
【００２６】
１    ネック服飾品
１０    装飾ボタン
１１    表面部
１２    裏面部
１３    切欠部
１４    孔付クリップピン
１５    挟持クリップ
２０    装飾部材
２１    ボタン部
２２    連結材
２３    カフス部材
２４    大径部
２５    小径棒
２６    接続棒
２７    大径部
２８    小径部
３０    チェーン（紐体）
３１    チェーン孔部
Ｓ    ワイシャツ
Ｎ    襟
Ｂ    第一ボタン
Ｈ    ボタン穴
【図１】
2005253761.tif 000003
【図２】
2005253761.tif 000004
【図３】
2005253761.tif 000005
【図４】
2005253761.tif 000006
【図５】
2005253761.tif 000007
【図６】
2005253761.tif 000008
【図７】
2005253761.tif 000009
【図８】
2005253761.tif 000010
【図９】
2005253761.tif 000011